(57)【要約】  本発明は、エアフロー（111a、111b、...）を生成するための複数のノズル開口（115a、115b、...）を備えるファンアセンブリ（100）と、エアフロー（111a、111b、...）を制御するよう構成される制御システム（200）と、光源光（11）を生成するよう構成される光源（10）とを含むシステムであって、ファンアセンブリ（100）は、少なくとも2つの非平行な方向（112a、112b、...）にエアフロー（111a、111b、...）を供するよう構成され、少なくとも2つの非平行な方向（112a、112b、...）は、10°〜170°の範囲から選択される頂角（α）を持ち、円錐軸（31）を持つ仮想円錐（30）内に構成される、システムを提供する。図1a。
2019511105.tif 000002
【特許請求の範囲】
【請求項１】
エアフローを生成するための複数のノズル開口を備えるファンアセンブリと、前記エアフローを制御するよう構成される制御システムと、光源光を生成するよう構成される光源とを含むシステムであって、前記ファンアセンブリは、少なくとも2つの非平行な方向に前記エアフローを供するよう構成され、前記少なくとも2つの非平行な方向は、10°〜170°の範囲から選択される頂角を持ち、円錐軸を持つ仮想円錐内に構成され、前記エアフローは、前記光源の冷却に必要とされるものよりも少なくとも20倍大きく、好ましくは少なくとも50倍大きい、システム。
【請求項２】
前記制御システムは、前記光源を制御するよう構成される、請求項1に記載のシステム。
【請求項３】
前記光源光は、光軸を持ち、当該システムは、前記光源光の前記光軸及び前記円錐軸が0°〜80°及び100°〜180°の範囲から選択される相互角を持つように前記光源光を供するよう構成され、当該システムは、10°〜80°の範囲から選択される前記円錐軸との相互角を持つ前記エアフローを供するよう構成される、請求項1又は2に記載のシステム。
【請求項４】
当該システムは、少なくとも3つのノズル開口を備え、前記ファンアセンブリは、少なくとも3つの相互に非平行な方向に少なくとも3つのエアフローを供するよう構成され、前記制御システムは、前記少なくとも3つのノズル開口から出る前記少なくとも3つのエアフローの各々の流速及び流量の1つ以上を制御するよう構成される、請求項1、2又は3に記載のシステム。
【請求項５】
前記複数のノズル開口は、環状構成で構成される、請求項1乃至4の何れか一項に記載のシステム。
【請求項６】
前記光源は、環状光出口窓を備える、請求項1乃至5の何れか一項に記載のシステム。
【請求項７】
（a）前記複数のノズル開口は、光出口窓及び／又は前記光源を周囲に囲む、又は(b)前記複数のノズル開口は、光出口窓及び／又は前記光源により周囲に囲まれることを特徴とする請求項1乃至6の何れか一項に記載のシステム。
【請求項８】
当該システムは、センサを備え、前記制御システムは、前記センサのセンサ信号の関数として（a）1つ以上の前記エアフロー及び（b）前記光源光の1つ以上を制御するよう構成され、前記センサは、温度センサ、アンビエント光センサ、湿度センサ及びエアクオリティセンサから成る群から選択される、請求項1乃至7の何れか一項に記載のシステム。
【請求項９】
前記ファンアセンブリは、前記ノズル開口を通過する前記エアフロー(m3/s)と前記流速(m/s)との積が少なくとも0.05(m4/s2)であるエアフローを生成するよう構成され、前記ノズル開口は、0.2mm〜10mmの範囲内の長さ、幅及び径から選択される1つ以上の寸法を持ち、前記ファンアセンブリは、1つ以上のインペラを備える、請求項1乃至8の何れか一項に記載のシステム。
【請求項１０】
前記ファンアセンブリは、エアインレットと1つ以上のノズル開口との間の流体連通のためのダクトを備え、前記ダクトは、エアフィルタを備える、請求項1乃至9の何れか一項に記載のシステム。
【請求項１１】
前記エアフィルタは、エアフィルタ断面を持ち、前記ダクトは、前記エアフィルタが構成される位置においてダクト断面を持ち、前記フィルタ断面(A1)及び前記ダクト断面(A2)は、0.3〜0.95の範囲から選択される比(A1/A2)を持つ、請求項10に記載のシステム。
【請求項１２】
当該システムは、つり下げ用に構成され、当該システムは、上側部分及び下側部分を有し、前記光源は、前記上側部分及び前記下側部分の1つ以上から離れる方向に伝搬する前記光源光を供するよう構成され、前記ファンアセンブリは、前記下側部分から離れる方向に伝搬する前記エアフローを供するよう構成される、請求項1乃至11の何れか一項に記載のシステム。
【請求項１３】
空間に1つ以上のエアフロー及び光を供するための方法であって、当該方法は、請求項1乃至12の何れか一項に記載のシステムを用いて前記空間に1つ以上の前記エアフロー及び前記光源光の1つ以上を供するステップを含み、前記エアフローは、前記光源の冷却に必要とされるものよりも少なくとも20倍大きく、好ましくは少なくとも50倍大きい、方法。
【請求項１４】
前記システムは、請求項10又は11に記載のエアフィルタを備え、当該方法は、前記空間内の空気をフィルタリングするステップを含む、請求項13に記載の方法。
【請求項１５】
前記システムは、つり下げ式に構成される、請求項13又は14に記載の方法。
【発明の詳細な説明】
【技術分野】
【０００１】
本発明は、例えば部屋の換気用のファンを備えるシステム、及び例えば冷房目的のために、例えば斯かる部屋にエアフローを生成するための方法に関する。
【背景技術】
【０００２】
ベンチレータ又はファンは、当技術分野で知られている。特定の例は、例えば、国際特許出願公開第WO2014/165733号に示されている。この文献は、とりわけ、光ビームに沿ってエアストリームを生成するエアフロー発生器を備える、方向付け可能な光ビームを生成するオートメーション化された照明器具を述べている。光ビーム及びエアストリームは同軸である。
【発明の概要】
【発明が解決しようとする課題】
【０００３】
当技術分野で知られているファンアセンブリは、一般に相対的に大きなプロペラを有する。斯かるプロペラは、審美的に望まれるものとして常に認識されるとは限らない。さらに、斯かるプロペラは、アクセス可能な空間を制限する、斯くして、例えば、照明デバイス等の他のデバイスのための天井の空き空間を制限する大きな可動部品である。さらに、斯かる可動プロペラは、潜在的に人に危険をもたらす。
【０００４】
ファンアセンブリは、斯かるファンアセンブリにより生成される微風(breeze)又はエアフローが人に対する冷却効果を与えるので、冷房に使用され得る。ファンアセンブリに関連する上述した問題のいくつかは、エアコン(air condition or climate control)を用いることにより克服されるかもしれない。しかしながら、斯かる解決策の不利な点は、比較的高いエネルギ消費である。
【０００５】
したがって、本発明の一態様は、好ましくはさらに、上述した欠点の1つ以上を少なくとも部分的に取り除き、特に実質的に、照明器具等の他の（ペンダント）デバイスのために求められる空間と必ずしも競合しない、代替的なファンアセンブリを提供することである。また、本発明の一態様は、好ましくはさらに、上述した欠点の1つ以上を少なくとも部分的に取り除き、特に、照明及び／又は空気清浄を提供するオプションも含み、空間及び／又はエネルギが経済的に利用される、空間に空気の流れを提供する代替的な方法を提供することである。
【課題を解決するための手段】
【０００６】
第1の態様において、本発明は、（「フロー」とも称される）エアフローを生成するための複数のノズル開口を備えるファンアセンブリを含むシステムであって、ファンアセンブリは、少なくとも2つの方向、とりわけ、少なくとも2つの非平行な方向にエアフローを供するよう構成され、エアフローは、光源の冷却に必要とされるものよりも少なくとも20倍大きく、好ましくは少なくとも50倍大きい、システムを提供する。本発明によるシステムは、該システムが、比較的エネルギ消費が高い既知のエアコンシステムの欠点なく、人に対する冷却効果を与える斯かるファンアセンブリにより生成される微風又はエアフローを実現するという利点を奏することが見出された。特に、少なくとも2つの非平行な方向は、頂角及び仮想円錐軸（「円錐軸」）を持ち、頂角は特に10°〜170°の範囲から選択される、仮想円錐内に構成される。したがって、特に少なくとも2つのエアフローは、互いに発散する(divergent)。さらに、システムは、特に、エアフローを制御するよう構成される制御システムを含んでもよい。システムは、特に、ある実施形態において、光源光を生成するよう構成される光源を含み、任意選択的に、光源光もまた、制御システムにより制御されてもよい。
【０００７】
より詳細には、エアフローは、光源を冷却するために、すなわち、光源が平均的に該光源に表明された使用寿命(useful lifetime)に達する温度に光源を維持するために必要とされるものよりもかなり大きい、すなわち、少なくとも20倍、特には少なくとも50倍大きい。長時間の熱は、LED等の多くの固体光源の使用寿命を大幅に縮め得る。周囲温度が高いと接合部温度が高くなり、これは、LED接合素子の劣化速度を増加させ、LEDの光出力を、低温時よりも早い速度で長期にわたって不可逆的に低下させる可能性がある。したがって、LEDの温度を制御することは、LEDシステムの最適な性能の最も重要な側面の1つである。たとえば、Luxeon K2白色LEDの場合、接合部温度が115℃から125℃に上昇すると、LEDの使用寿命は公称寿命の約70％に縮まるであろう。
【０００８】
したがって、本発明は、例えば、水平面に位置付けられ得、例えば、つり下げ式とすることができ、魅力的な外観を持つことができ、（特に、案内される強力な発散エアフロー(guided powerful divergent air flow)を用いて）環境内の人及び照明器具の両方を冷却することができ、目に見える可動部分を持つ必要のない、統合された照明器具及びファン、特にエアマルチプライア(air multiplier)を持つ（特には装置等の）システムを実現することができる。このシステムはさらに、特に独立して制御されてもよい、異なる方向への様々なジェットを提供することができる。このシステムは、特に目に見える可動部分がなく、清掃が容易で安全な製品であり得る。システムは、直接及び／又は間接照明を生成するように構成されてもよく、環境内にいる人を冷房するために強力な発散エアフローを供してもよい。互いに発散するエアフローは、特に、ファンアセンブリの中心軸（又は主軸）又は円錐軸に対して少なくとも5°、さらに特には少なくとも10°、特定の実施形態では少なくとも20°の角度でジェットを、例えば照明器具内の開口領域(open area)を介して放出することにより実現されてもよい。システムが発生する可聴ノイズは低い。家又は他の場所内のエネルギネットワークのインフラストラクチャは、有利なことに、環境における人物の冷房及び照明の組み合わせを可能にする。特に暖かい国では、これは魅力的である。照明と冷却の組み合わせは、部品とスペースの削減につながる。
【０００９】
上述したように、ある実施形態では、システムは、ファンアセンブリ及び光源を備える。前者は、1つ以上の、特に複数のエアフローを生成するよう構成され、後者は、特に、例えば空間を照明するための光源光を供するよう構成される（ようにシステムが構成される）。ある実施形態では、用語「システム」は、特に装置を称してもよい。したがって、特定の実施形態では、本発明は、装置を備えたシステムに関し、この装置が、統合ユニット内にファンアセンブリ及び光源を備える。
【００１０】
ファンアセンブリは、特に、エアフローを生成するための複数のノズルを有する。各ノズルは、少なくとも1つのノズル開口を含むことができる。したがって、複数のノズルは、複数のノズル開口を含む。したがって、ある実施形態では、システムは、エアフローを生成するための複数のノズルを有するファンアセンブリを備え、複数のノズルは複数のノズル開口を含む。複数のノズル開口により、複数のエアフローが生成され得る。斯くして、システムは、複数のノズル開口を含む。ここで、「複数」という用語は、2以上、例えば3以上、特には少なくとも4以上を称してもよい。例えば、システムがテーブル上方につり下げられ、4つのエアフロ−が、（システムの下方に構成される）テーブルの4つの場所に生成されてもよい。
【００１１】
上述したように、ファンアセンブリは、特に、少なくとも2つの非平行な方向にエアフローを供するよう構成される。システムが3つ以上のエアフローを供するよう構成される場合、エアフローが平行又は実質的に平行な方向を持つことは必ずしも除外されない。しかしながら、3つ以上のエアフローのうち、少なくとも2つは、非平行な方向で構成される。システムは、ある実施形態において、複数（k）の非平行な方向を有する複数（n）のフローを供するよう構成され、ここで、nは少なくとも2であり、kは少なくとも2であり、特にkは2とnとの間であってもよいことに留意されたい。特に、nは少なくとも3であり、特にnは少なくとも4である。さらに、kも、少なくとも3であり、特に少なくとも4である。ここで、"n"は、エアフローの数を示すためにさらに用いられる。
【００１２】
したがって、システムは、特に、発散方向を有する2つ以上のエアフローを供するよう構成される。この目的のために、システムは、2つ以上のノズル開口を有するファンアセンブリを含む（以下も参照）。斯くして、「少なくとも2つの非平行な方向のエアフロー」という句は、特に、少なくとも2つのエアフローの方向を示すベクトルが非平行に構成されることを意味する。斯くして、非平行は、0°より大きな角度を意味する。ダイソン（Dyson）により提供されるような最先端システムは、エアフローの中でエアフローの方向が実質的にどこでも平行であるエアフローを発生させる。それゆえ、フロー内のエアフローの方向は、仮想シリンダ内に構成され得るものである。
【００１３】
ここでは、特に、少なくとも2つの非平行な方向は、10°〜170°の範囲から選択される頂角を持ち、円錐軸を持つ仮想円錐内に構成される。円錐は、平らな底面から頂点又は先端と呼ばれる点まで滑らかに先細になる3次元幾何学的形状である。頂角は、頂点を画定する線の間の角度である。ここで、この頂角は、10°〜170°の範囲から選択される。したがって、実際には、少なくとも2つの非平行な方向は、少なくとも10°の範囲から選択される頂角を持つ第1の仮想円錐内、及び最大170°の範囲から選択される頂角を持つ第2の仮想円錐内に構成される。これも、「少なくとも2つの非平行な方向が、10°〜170°の範囲から選択される頂角を持つ仮想円錐内に構成される」と定義される。上述したように、定義は、この仮想円錐外に供されるフローがあり得ることを除外しないが、少なくとも2つのエアフローが、この仮想円錐内に構成される。再び、特に、複数のエアフローは、この仮想円錐内の方向を有する。この定義では、とりわけ、少なくとも2つのフローが平行でない（円錐頂点の下限は特に10°である）だけでなく、少なくとも2つのフローが逆平行（すなわち180°）ではない（円錐頂点の上限は170°である）ことを示している。したがって、「少なくとも2つの非平行な方向のエアフロー」という句は、特に、少なくとも2つのエアフローが反対方向を有していないことを意味してもよい。一般に、システムにより生成される全てのエアフローは、反対方向を持つエアフローのサブセットを持たないであろう。しかしながら、ある実施形態では、逆平行のエアフローが、システムで生成されてもよい。例えば、複数のエアフローが、上述した仮想円錐内に生成されてもよく、これにより、例えば、つり下げ構成を仮定した場合、システムが、テーブルや床等の方向への異なる方向のエアフローを供することを可能にする一方、1つ以上のエアフローが、天井方向に生成されてもよい。
【００１４】
ここでは、システム自体は円錐形を有する必要がないので、「仮想円錐」という用語が適用される。システム（又は装置又はハウジング）は実質的に任意の形状を有することができる。しかしながら、フロー（相互発散）方向は、仮想円錐の手段で規定される。ある実施形態では、システムは、各サブセットが、少なくとも2つが（本明細書で定義される）仮想円錐に対して互いに発散するフロー方向を持つと定義される2つ以上のフローを持つように、（互いに発散する）フローの2つの以上のサブセットを供するよう構成されてもよい。したがって、ある実施形態では、「仮想円錐」という用語は、複数の仮想円錐を称してもよく、各仮想円錐は、（互いに発散する）フローのサブセットについて、フロー方向を画定する。特に、このような複数の仮想円錐の円錐軸は、平行に構成される。さらに他の実施形態では、このような複数の仮想円錐のうちの2つ以上の円錐軸は、逆平行に構成される。
【００１５】
実際には、「少なくとも2つの非平行な方向は、頂角を持ち、円錐軸を持つ仮想円錐内に構成され、頂角は特に10°〜170°の範囲から特に選択される」という句は、2つの方向が、一致する（及び同一方向で頂角を指す）円錐軸を持つ2つの仮想円錐内に限定され、より小さい仮想円錐は少なくとも10°の頂角を有し、より大きな仮想円錐は最大170°の頂角を有すると定義されてもよい。
【００１６】
システムは、ファンアセンブリを含む。ファンアセンブリは、複数のノズルを含んでもよい。各ノズルは、1つ以上のノズル開口を備えてもよい。特に、各ノズルは単一のノズル開口を含む。ファンアセンブリは、特に、エアジェット(jet of air)を供するよう構成される。ファンアセンブリは、特に、少なくとも2つのエアフローに対して、空気増幅効果(air multiplying effect)又はエアナイフ効果(air knife effect)を供するよう構成される。エアナイフは、場合によっては層流(streamline flow)としても知られる、高強度で均一な層流エアフロー(laminar airflow)のシートから成ってもよい。2つ以上のエアフローが、エアーナイフであってもよい。
【００１７】
特定の実施形態では、ノズル開口は、0.2mm〜10mm、特に0.5mm〜5mm、例えば1mm〜5mmの範囲内の長さ、幅及び径から選択される1つ以上の（最小）寸法を持つ。ノズル開口は必ずしも円形である必要はないことに留意されたい。0.2mm〜10mm、例えば0.2mm〜5mm、例えば1mm〜5mmのように比較的小さい1つ以上の寸法を選択することにより、ジェット特性を有するエアフローを供することができる。したがって、少なくとも最小寸法が0.2mm〜10mmの範囲内である。例えば、このような幅を有するが長さが10cm〜100cmのスリットが適用されてもよい。したがって、非円形のノズル開口では、必ずしも全ての寸法が小さくない。これらノズル開口によりもたらされる総面積（ノズル開口における断面積の合計）は、20cm2〜500cm2、例えば20cm2〜250cm2、例えば50cm2〜150cm2の範囲内等、少なくとも20cm2、例えば少なくとも40cm2、例えば少なくとも50cm2であってもよい。
【００１８】
さらに、特に、ファンアセンブリは、高いエアフロー及び／又は高い流速を持つエアフローを供するよう構成される、インペラ(impeller)等のエアフロー生成デバイスを備える。特に、ファンアセンブリは、ノズル開口を通過するエアフロー(m3/s)と流速(m/s)との積が少なくとも0.05m4/s2、例えば少なくとも0.1m4/s2、例えば少なくとも1m4/s2を持つエアフローを生成するよう構成される。したがって、全てのノズル開口によりもたらされるエアフローは、少なくとも0.05m4/s2のエアフロー(m3/s)と流速(m/s)との積を持つ。ここで、エアフローは一般に空気の流れ(flow of air)を称するところ、エアフローにおいては、先の文に示されるように、流速にも関係することに留意されたい。特に、全てのノズルにより生成されるエアフローは、少なくとも約0.005m3/s〜0.2m3/s、特に0.01m3/s〜0.1m3/sの範囲内であり、及び／又はノズル当たりの流速は、少なくとも約1m/s〜5m/s、特に3m/s〜30m/sの範囲内である。言うまでもなく、使用中、1つ以上のノズル開口がエアフローを供さないことがあってもよい。さらに、使用中、エアフロー及び／又は流速は、1つ以上のエアフローについて減少されてもよい。しかしながら、ファンアセンブリは、全てのノズル開口により協働で(together)少なくとも0.05m4/s2のエアフロー(m3/s)及び流速(m/s)の積を少なくとも生み出すことができる。
【００１９】
このようなエアフローにより、人は、冷房としてエアフローを感知することができる。したがって、システムは、例えば、最先端のファンのように、冷却目的で用いられてもよい。しかしながら、プロペラ又はブレード等のファンアセンブリの回転要素がユーザに見える最先端のファンとは対照的に、本発明において、エアフロー生成デバイス、又は少なくともブレード若しくはファン等のその可動部分は、システム内に隠される。斯くして、エアフロー生成デバイスは、例えば、インペラを含んでもよい。したがって、特定の実施形態では、ファンアセンブリは、ノズル開口を通過する少なくとも0.05m4/s2のエアフロー(m3/s)と流速(m/s)との積を持つエアフローを生成するよう構成され、ノズル開口は、0.2mm〜10mm、例えば0.5mm〜10mmの範囲内の長さ、幅及び径から選択される1つ以上の（最小）寸法を持ち、ファンアセンブリは、特に、1つ以上のインペラを備える。したがって、特に、エアフロー(m3/s)と流速(m/s)との積は、（2つ以上の互いに発散するエアフローを生成するよう構成される）全てのノズル開口にわたる積分値である。
【００２０】
ファンアセンブリはまた、エアインレットを備えてもよい。「エアインレット」という用語はまた、複数のエアインレットを称してもよい。フロー生成デバイスは、特に、エアインレットを介してファンアセンブリに空気を吸入し、ファンアセンブリからノズル開口を介して排出してもよい。エアインレット及びノズル開口は、ダクトを介して流体連通してもよい。ファンアセンブリは、複数のダクトを含んでもよい。1つ以上のエアインレットが、複数のノズル開口と連通してもよく、及び／又は複数のエアインレットが、1つ以上のノズル開口と連通してもよい。
【００２１】
ここで、「エアフロー生成デバイス」という用語はまた、複数のエアフロー生成デバイスを称してもよい。さらに、「インペラ」という用語はまた、複数のインペラを称してもよい。各ノズルは、インペラに機能的に結合されてもよい。しかしながら、インペラは、2つ以上のノズルに働いてもよい。斯くして、システムは、エアフローを制御するため等の1つ以上のバルブを含んでもよい。
【００２２】
ファンアセンブリは、ハウジング内に組み込まれてもよい。ハウジングは、エアフローを供するためのノズル開口を備えてもよい。さらに、ハウジングは、1つ以上のエアインレットを備え、ファンアセンブリが、エアインレットに空気を吸入し、ノズルアウトレットからエアフローとして空気を排出するよう構成されてもよい。このようにして、ハウジング内の可動部品をユーザに見えなくすることができる。特に、単一のハウジングが、ファンアセンブリ及び光源の両方を含み、ハウジングが、1つ以上のエアインレット及び1つ以上のノズル開口を含み、ハウジングが、特に、（ハウジングから光源光を出すための）光出口窓を含んでもよい。
【００２３】
システムは、フローを制御するためのスイッチ又は複数のスイッチ、特に、システムにより生成され得る1つ以上のフローについてフローを供することとフローを供さないこととを切り替えるよう構成されるスイッチを含んでもよい。斯かるスイッチは、システムに統合されてもよい。したがって、システムは、スイッチを介したユーザ選択により、1つ以上のフローをオン又はオフに切り替えることを可能にするよう構成される集積回路を含んでもよい。
【００２４】
しかしながら、さらなる実施形態では、システムは、前記エアフローを制御するよう構成される制御システムを（もまた）含んでもよい。「制御システム」という用語は、特に、他のデバイス又はシステムの振舞を管理、命令、指令又は調整するデバイス又はデバイスの組を称してもよい。ここで、他のデバイス又はシステムは、少なくともファンアセンブリを含む。制御システムは、エアフローを制御するよう構成されるリモートコントロールを含んでもよい。特にリモートコントロール等の制御システムは、特に、システムにより生成され得る1つ以上のフローについて、特に複数のフローについて、フローを提供することとフローを提供しないこととの間で選択されるよう構成される、（グラフィカル）ユーザインタフェースを含んでもよい。さらに、制御システムはまた、1つ以上のフロー、特に複数のフローのうちの少なくとも2つのフロー、例えば全て(n)のフローの1つ以上のエアフロー及び流速（以下も参照）を制御するよう構成されてもよい。ある実施形態では、制御システムは、エアフロー及び流速の1つ以上を連続的に制御するよう構成されてもよい。したがって、特に制御システムは、（複数の）ノズル開口のうちの少なくとも2つのノズル等の複数のノズル開口から出る少なくとも2つのエアフローの各々の1つ以上の流速及び流量を制御するよう構成される。したがって、ある実施形態では、システムは、光源光のみが供給されるモード、1つ以上のエアフローのみが提供されるモード、実質的に空気のみが浄化されるモードのうちの1つ以上を含んでもよい。したがって、使用中、例えば、1つのノズルのみがエアフローを供し得るが、システムはまた、2つ以上の互いに発散するエアフローが提供されるモードに設定されてもよい。
【００２５】
さらに別の特定の実施形態では、制御システムは、ユーザインタフェースの入力信号の関数としてファンアセンブリ及び／又は光源（以下も参照）を制御するよう構成される。このユーザインタフェースは、ハウジング等の装置又はデバイスに組込まれてもよいが、遠隔（リモートコントロール、上記も参照）にあってもよい。したがって、ユーザインタフェースは、ある実施形態では、ファンアセンブリ及び／又は光源を含む装置又はデバイスに組込まれてもよいが、他の実施形態では、該装置又はデバイスとは別個であってもよい。ユーザインタフェースは、例えば、グラフィカルユーザインタフェースであってもよい。さらに、ユーザインターフェースは、iPhoneを含む、アンドロイドデバイス等のスマートフォン又は他のタイプの通信デバイスのためのアプリ(App)により提供されてもよい。
【００２６】
光源及びファンアセンブリの両方の制御はスマート(smart)であり得る。光アセンブリの可能な制御機能は、強度制御、（例えば、異なる光源をオン又はオフに切り替えることによるミラーを用いた）直接的及び／又は間接的なビームの制御、1つ以上のビームの色制御等の1つ以上を含んでもよい。さらに、ファンアセンブリの可能な制御機能は、ジェットの速度、ジェットの方向等の1つ以上を含んでもよい（上記も参照）。例えば、ファンアセンブリはまた、1つ以上のエアフローを方向付けるよう構成される1つ以上のバルブを含んでもよい。バルブは、ノズル開口内、ノズル開口の上流又はノズル開口の下流に構成されてもよい。
【００２７】
したがって、本発明はまた、（さらなる態様において）任意選択的に記録担体（記憶媒体）に具現化されるコンピュータプログラムであって、コンピュータで実行された場合、本明細書で述べられる方法（以下も参照）を実行する及び／又は本明細書で述べられるシステムを制御することができる、コンピュータプログラムを提供する。
【００２８】
システムはまた、センサのセンサ信号に依存して、ファンアセンブリ及び／又は光源（以下も参照）を制御するよう構成される制御システムを備えたモーションセンサ等の1つ以上のセンサを含んでもよい。システムは、温度センサを含んでもよい。システムはまた、塵粒子センサを含んでもよい。システムはまた、湿度センサを含んでもよい。システムはまた、システムの外部に構成される（例えば、本明細書で述べられる1つ以上の）センサからのセンサ信号に応答してもよい。したがって、ある実施形態では、システムはさらに、センサを備え、制御システムは、特に、（a）1つ以上のエアフロー及び（b）光源光の1つ以上をセンサのセンサ信号の関数として制御するよう構成され、センサは、温度センサ、アンビエント光センサ、湿度センサ及びエアクオリティセンサ等から成る群から選択されてもよい。「センサ」という用語は、複数の異なるセンサに関連してもよい。斯かる実施形態では、例えばフローが、温度の関数として制御されてもよい。温度が高い場合、ファンアセンブリは、（例えば、人が存在センサで検出される場合）より強いフローを提供してもよい。斯かる実施形態では、例えばフローが、空気の質の関数として制御されてもよい。フローは、空気の質が改善される必要がある場合にスイッチオン又は増加されてもよい。（オプションの）フィルターを使用して、空気中の粒子が、（（装置を用いた）空気の再循環により）空気からろ過して除去されてもよい。
【００２９】
上述したように、システムはさらに、光源光を生成するよう構成される光源を備えてもよい。光源は、特に、白色光等の可視光を供するよう構成される。光源は、有色光を供するよう構成されてもよい。さらに、光源は、色及び／又は色温度が変化する光を供するよう構成されてもよい。光源は、可変強度を有してもよい。上述のように、制御システムがシステムに具備される場合、制御システムは、光源を制御するよう構成されてもよい。したがって、ユーザは、異なるエアフロー及び光源を制御することができる。したがって、例えば、エアフローによる冷却、光強度、光の色等が、ある実施形態では、制御システムにより（ユーザインターフェースを介して）制御されてもよい。
【００３０】
光源は、特に、固体光源を含んでもよい。「光源」という用語は、2-512（固体）LED光源等の複数の光源を称してもよい。したがって、「ＬＥＤ」という用語も、複数のLEDを称してもよい。光源は、ヒートシンクと物理的に関連付けられる等、ヒートシンクと熱的に結合されてもよい。ファンアセンブリはまた、光源及び／又はヒートシンクを冷却してもよい。しかしながら、供されるエアフローは、特に、（光源を冷却するために必要とされるものよりも）かなり大きく、（さらに）互いに発散するエアフローがシステムから出るように提供される。
【００３１】
システムは、光出射窓を含み、光源は、光出射窓の上流に構成されてもよい。複数の光源が利用可能である場合、同じ数又はそれより少ない光出口窓が存在してもよい。複数の光源は、複数の光源の光源光が（共有の）光出口窓を透過できるように、単一の光出射窓の上流に構成されてもよい。光出口窓は、光源光を透過する光透過性材料を含む。特に、ハウジングは、1つ以上の斯かる窓を備え、光源は、特に光源光を光出口窓を介してシステムの周囲に提供するために、ハウジング内に構成される。
【００３２】
「上流」及び「下流」という用語は、光生成手段（ここでは特に光源）からの光の伝搬に対するアイテム又はフィーチャの配置に関するものであり、光生成手段からの光ビーム内の第1の位置に対し、光生成手段に近い光ビームの第2の位置は「上流」であり、光生成手段から遠い光ビームの第3の位置は「下流」である。
【００３３】
上述したように、システムは、特に、仮想円錐内にフロー方向を持つ複数のエアフローを供するよう構成される。上述したように、システムはさらに、光源光を供するよう構成される光源を含んでもよい。光源の光は、システムから遠ざかる方向に発してもよい。光源光は、光軸を有してもよい。原理的には、光軸は、仮想円錐軸と実質的に任意の角度を有してもよい。さらに、光軸は、必ずしも円錐内にある必要はない。光軸が円錐内にある場合、システムは、特に、ダウンライトとして構成されてもよい。しかしながら、光源は、少なくとも2つの（互いに発散する）エアフローの少なくとも2つと実質的に垂直又は反対の方向に光源光を供してもよい。例えば、光源は、円錐軸に平行な方向ではあるが、円錐内に（直接）光が無いように光源光を供するよう構成されてもよい。このようなシステムは、例えば、アップライトとして使用されてもよい。
【００３４】
したがって、ある実施形態では、光源光は、光軸を持ち、システムは、光源光の光軸及び円錐軸が0°〜80°（特に約0°）及び100°〜180°（特に約180°）の範囲から選択される相互角を持つように光源光を供するよう構成される。前者の変形例では、光源光は、エアフローと同じ（仮想）半球内、さらに特には同じ仮想円錐内に供され、後者の変形例では、光源光は、エアフローとは別の仮想半球内に供され、仮想円錐の外側にある。前者の変形例は、例えば、ダウンライト（及びダウン（下方）ファン）を述べてもよく、後者の変形例は、例えば、アップライト（及びダウン（下方）ファン)を述べてもよい。
【００３５】
したがって、ある実施形態では、エアフロー及び光源光は、同じ半球内に供されてもよい。他の実施形態では、エアフロー及び光源光は、（例えば、アップライトであって、ファンは下向き（すなわち、下向きのエアフロー）等）異なる半球内で供されてもよい。しかしながら、本発明は、光源光及びエアフローの両方が上方に向けられる実施形態を含んでもよい。さらに別の実施形態では、エアフローは下方に向けられ、光源光も下方に向けられ、他の照明デバイスが上向きの光を供してもよい。さらに別の実施形態では、エアフローは上方に向けられ、光源光も上方に向けられ、他の照明デバイスが下向きの光を供してもよい。さらに別の実施形態では、エアフローは下方に向けられ、さらなるエアフローが上方に向けられ、オプションの光源光が上方又は下方に向けられてもよい（又は複数の光源が、下向き及び上向きの両方の光源光を供するよう構成されてもよい）。
【００３６】
したがって、ある実施形態では、1つ以上のエアフローは、光源光の光軸と同軸ではないが、少なくとも20°のように少なくとも5°、例えば少なくとも10°の光軸との角度を持ち、特に90°未満、特に85°以下の角度を持つ方向を有する。少なくとも5°の角度は、例えば、最小10°の頂角に対応してもよく、85°以下の値は、例えば、最大170°の頂角に対応してもよい。
【００３７】
以下、いくつかのさらなる実施形態が述べられる。
【００３８】
上述のように、システムは、特に、少なくとも2つの（発散する）エアフローを供するよう構成される。したがって、ある実施形態では、システム、より特にはファンアセンブリは、少なくとも2つのノズル開口を備えてもよい。さらに別の実施形態では、システムは、少なくとも3つのノズル開口を備え、ファンアセンブリは、少なくとも3つの相互に非平行な方向に少なくとも3つのエアフローを供するよう構成され、制御システムは、少なくとも3つのノズル開口から出る少なくとも3つのエアフローの各々の流速及び流量の1つ以上を制御するよう構成される。3つのエアフローにより、より多くの制御性(controllability)をユーザに提供することができる。例えば、部屋の一部にのみ（冷却）微風が供給されてもよい。
【００３９】
特定の実施形態では、ノズル開口は、閉じた円弧のような（仮想）閉曲線として記述され得る構成に構成されてもよい。「仮想閉曲線」という用語は、仮想的に存在する閉曲線を称す。再び、ノズル開口は必ずしも円形である必要はないことに留意されたい。ノズル開口は、矩形であってもよい。しかしながら、ノズル開口は、円弧セグメント若しくは楕円弧(elliptical arc)のセグメントの形状、又は長円弧(oval arc)等の他の形状を有してもよい。このようなノズルの開口は、比較的狭くてもよく（上述の最小の寸法を参照）、10cm以上等比較的長くてもよい。
【００４０】
したがって、ある実施形態では、2つ以上のノズルが、実質的に閉じた曲線(substantially closed curve)として構成されてもよい。しかしながら、さらに他の実施形態では、複数のノズル開口が、例えば少なくとも6つの円形ノズル開口が利用可能である、閉曲線として記述され得る構成で構成される。仮想閉曲線は丸くてもよいが、必ずしも丸くなくてもよい。閉曲線が丸い実施形態では、環状構成が得られる。したがって、ある実施形態では、複数のノズル開口が、環状構成で構成される。したがって、異なるやり方で、複数のノズル開口の（ある種の）リング形状の構成が得られる。例えば、光源は、光源光が、ノズル開口の（仮想）閉曲線により囲まれた領域の少なくとも一部から出るように構成されてもよいが、代替的に又は追加的に、光源は、光源光が、ノズル開口の（仮想）閉曲線を囲む仮想曲線から出るように構成されてもよい。
【００４１】
上述したように、システムは、特に、光源光が（光源から離れる方向に）発する光出口窓を有してもよい。特定の実施形態では、光出口窓は、（仮想）閉曲線として記述され得る構成で構成されてもよい。しかしながら、光出口窓は、円弧セグメント若しくは楕円弧のセグメントの形状、又は長円弧等の他の形状を有してもよい。したがって、ある実施形態では、2つ以上の光出口窓が、実質的に閉じた曲線として構成されてもよい。しかしながら、さらに他の実施形態では、複数の光出口窓が、例えば少なくとも6つの小さな光出口窓が利用可能である、閉曲線として記述され得る構成で構成される。仮想閉曲線は丸くてもよいが、必ずしも丸くなくてもよい。閉曲線が丸い実施形態では、環状構成が得られ得る。したがって、ある実施形態では、光源は、環状光出口窓を備える。したがって、異なるやり方で、光出口窓又は複数の光出口窓の（ある種の）リング形状の構成が得られる。例えば、光源は、光源光が、（仮想）閉曲線により囲まれた領域の少なくとも一部から出るように構成されてもよい。例えば、ファンアセンブリは、エアフローが、光出口窓の（仮想）閉曲線により囲まれた領域の少なくとも一部から出るように構成されてもよいが、代替的に又は追加的に、ファンアセンブリは、エアフローが、光出口窓の（仮想）閉曲線を囲む仮想曲線から出るように構成されてもよい。
【００４２】
したがって、ある実施形態において、（a）複数のノズル開口は、光出口窓、特に環状光出口窓及び／又は光源を（円周に(circumferentially)等）周囲に(perimetrically)囲む、又は(b)複数のノズル開口は、光出口窓、特に環状光出口窓及び／又は光源により（円周に等）周囲に囲まれる。
【００４３】
環状等ではなく、正方形、長方形、三角形等のような、異なる周囲構成(perimetrical configuration)が可能であることに留意されたい。
【００４４】
さらなる実施形態では、システムは、特に、少なくとも10°の相互角（最小仮想円錐頂角）、より特には少なくとも20°の相互角で異なる方向に少なくとも2つのエアフローを供するよう構成される。異なる方向を有する多数のエアフローが生成される場合、隣接するエアフローは、比較的小さな相互角を有するが、少なくとも2つのエアフロー、さらには3つ以上のエアフローは依然として10°より大きい、特に20°より大きい相互角を有する（特にそれらの方向が相互角を有する）ことに留意されたい。したがって、ある実施形態では、システムは、主軸を持ち、光軸は、特に、主軸に平行に構成され、ファンアセンブリは、少なくとも5°、より特には少なくとも10°の範囲から選択され、例えば、例えば20°〜70°の範囲内の主軸との角度を持つ少なくとも2つの非平行な方向にエアフローを供するよう構成されてもよい。特に各々10°の角度を持つ2つの互いに発散するビームは、相互角20°（20°の仮想頂角）を有する。
【００４５】
照明機能に加えて、又は照明機能の代わりに、システムは、エアフィルタ（機能）を含んでもよい。したがって、特定の実施形態では、ファンアセンブリは、エアフロー生成デバイス（上記も参照）を備え、ファンアセンブリは、エアインレットと1つ以上のノズル開口との間の流体連通のためのダクトを備え、ダクトは、エアフィルタを備える。ダクトの少なくとも一部は、ノズルにより具備されてもよい。斯くして、システムは、エアフロー生成デバイス及びエアフィルタを含んでもよい。このようにして、空間における空気の質を向上させることができる。斯くして、システムは、空気清浄（及びオプションの照明）のために構成されてもよい。
【００４６】
比較的高いエアフロー及び速度が望ましいので、フィルタは、フロー及び／又は速度が妨げられるという望ましくない作用を有する可能性がある。驚くべきことに、フィルタ（断面積）がダクト（断面積）よりも小さい場合、フィルタ機能が依然として良好に働くことが分かった。斯かる実施形態は、依然として空気の一部がろ過される一方、比較的高いエアフロー及び／又は速度を可能にする。室内等の空間では、空気は循環するので、しばらくしてから空気が、冷却機能を（実質的に）損うことなく十分に濾過されてもよい。したがって、ある実施形態では、エアフィルタは、エアフィルタ断面を持ち、ダクトは、エアフィルタが構成される位置においてダクト断面を持ち、フィルタ断面及びダクト断面は、0.3〜0.98、例えば0.3〜0.95の範囲から選択される比を持つ。しかしながら、比率は1（バイパス効果なし）もあり得る。任意選択的に、この比は、バルブを用いて、又はバルブとして構成されたフィルタを用いて、制御可能である。制御システムはまた、ある実施形態では、例えば、エアクオリティセンサ等のセンサ信号に依存して等、比率を制御してもよい。
【００４７】
システムは、特に、ペンダントシステムとして構成されてもよい。したがって、ある実施形態では、システムは、特に、つり下げ用に構成される。特に、システムは、上側部分及び下側部分を有し、光源は、上側部分及び下側部分の1つ以上から離れる方向に伝搬する光源光を供するよう構成され、ファンアセンブリは、下側部分から離れる方向に伝搬するエアフローを供するよう構成されてもよい。
【００４８】
このシステムにより、人の位置の（非常に）近くにさりげない(unobtrusive)空気循環を作り出すことが可能である。特に、これは、空気循環ユニットをシステムの内部に組み込むことにより達成されてもよい。これにより、アウトレットの面積は、照明器具の縁部により画定される表面の面積よりもかなり小さい。さらに、特に、システムはペンダントとして設計される。したがって、システムは、特に、ペンダントとして用いられるよう構成される。ある実施形態では、エアフローのアウトレットは、（人が座っていると予想され得るところである）システムの縁部により画定される表面の周囲に配置されてもよい。さらに、特に空気循環ユニットは、外部から完全には見えず、回転部品は、（通常の）使用用途に構成されている場合のシステムを見ている人には実質的に見えないであろう。
【００４９】
特定の実施形態では、システムは、フィルタ機能を有してもよい。システムは、照明器具として及び／又はファンとして及び／又は冷却デバイスとして及び／又は空気濾過デバイスとして（以下も参照）示されてもよい。
【００５０】
したがって、とりわけ、本発明は、環境を直接及び／又は間接的に照明するため、及び例えばこの環境内の人を冷房するためにエアフローを生成するための一体型ファンアセンブリを備えた照明器具を提供する。照明器具は、例えば、ヒートシンク上に取り付けられ得る少なくとも1つの光源を備えてもよい。ファンアセンブリは、例えば環境内の人を冷房するために強力なエアフローを実現するため、ウインドエンジン(wind engine)、エアダクト及び中心から離れる方向に向けられる1つ以上のノズルを含む。特に、ファンアセンブリは、目に見える可動部分を持たない。さらに、特に、ジェットが、ファンアセンブリの中心軸に対して少なくとも10°、特に少なくとも20°の相互角度下で、照明器具の開口領域を介して放出されてもよい。照明器具は、特に、水平面に位置付けられ得、例えば、つり下げ式とすることができ、中心軸に対して異なる方向を持つ少なくとも2組のノズルを含むことができ、これは、ジェットの選択的な制御を可能にする。エアマルチプライアを備える照明器具はまた、空気清浄を実現するためのフィルタモジュールを備えてもよい。
【００５１】
さらに別の態様では、本発明は、空間に1つ以上のエアフロー及び光を供するための方法であって、当該方法は、特に本明細書で述べられるシステムを用いて空間に(a)1つ以上のエアフロー及び(b)光源光の1つ以上を供するステップを含み、エアフローは、光源の冷却に必要とされるものよりも少なくとも20倍大きく、好ましくは少なくとも50倍大きい、方法を提供する。さらに別の実施形態において、本発明は、空間にエアフローを供するため、及び任意選択的に該空間内の空気をフィルタリングするための方法であって、当該方法は、本明細書で述べられるシステムを用いて1つ以上のエアフローを供するステップ、及び任意選択的にここで述べられるエアフィルタを用いてフィルタリングするステップを含む、方法を提供する。したがって、ある実施形態では、システムはさらに、本明細書に述べられるエアフィルタを備え、当該方法は、空間内の空気をフィルタリングするステップを含んでもよい。任意選択的に、システムは、任意選択的に照明機能及び／又は冷却機能を持たずに、空気のみをフィルタリングするよう適応されてもよい。
【００５２】
「空間」という用語は、例えば、レストラン、ホテル、診療所又は病院等のホスピタリティエリア（の一部)に関連してもよい。「空間」という用語は、オフィス、百貨店、倉庫、映画館、教会、劇場、図書館等（の一部）に関連してもよい。しかしながら、「空間」という用語は、トラックの客室、航空機の客室、船舶（船）の客室、車の客室、クレーンの客室、トラクタ等の作業用車両の客室等、車両内の作業空間（の一部）に関連してもよい。「空間」という用語は、オフィス、（生産）プラント、発電所（原子力発電所、ガス発電所、石炭発電所等）のような作業空間（の一部）に関連してもよい。例えば、「空間」という用語は、制御室、セキュリティ室等に関連してもよい。「空間」という用語は、家、アパート等の家庭の部屋に関連してもよい。特定の実施形態では、システムは、着座領域(seating area)の上に構成される。しかしながら、他の実施形態では、システムは、睡眠領域、作業領域又はリラクシング領域等の上に構成される。
【００５３】
上述したように、このシステムでは、天井内の単一の電気ポイント(electricity point)が、冷却、照明及び空気濾過からなる群から選択される1つ以上の機能、特に2つ以上の機能を有するシステムを提供するために用いられてもよい。したがって、さらなる実施形態では、システムは、つり下げ式に構成されてもよい。したがって、ある実施形態では、製品は、水平面に位置付けられ得、例えばつり下げ式とすることができ、中心軸に対して異なる方向を持つ（少なくとも）2組のノズルを含むことができ、これは、ジェットの選択的な制御を可能にする。
【図面の簡単な説明】
【００５４】
以下、本発明の実施形態が、対応する参照符号が対応する部分を示す添付の概略図を参照して、単なる例として述べられる。
【図１ａ】システムのある実施形態を概略的に示す。
【図１ｂ】システムのある実施形態を概略的に示す。
【図２】あるアップライト及び／又はダウンライトの態様を概略的に示す。
【図３ａ】ある可能な実施形態を概略的に示す。
【図３ｂ】ある可能な実施形態を概略的に示す。
【図３ｃ】ある可能な実施形態を概略的に示す。
【図４ａ】システム及びそのアプリケーションのある態様及び実施形態を概略的に示す。
【図４ｂ】システム及びそのアプリケーションのある態様及び実施形態を概略的に示す。
【図４ｃ】システム及びそのアプリケーションのある態様及び実施形態を概略的に示す。
【図４ｄ】システム及びそのアプリケーションのある態様及び実施形態を概略的に示す。
【図４ｅ】システム及びそのアプリケーションのある態様及び実施形態を概略的に示す。
【００５５】
概略図は、必ずしも縮尺通りではない。
【発明を実施するための形態】
【００５６】
図1aは、本明細書で述べられるシステム1の一実施形態を概略的に示す。システム1は、複数のノズル開口115を備えるファンアセンブリ100を含む。個々のノズル開口は、参照番号115a、115b、...で示されている。ファンアセンブリは、（1つ以上の前記ノズル開口から）（互いに発散する）エアフロー111a、111b、...を生成するよう構成される。
【００５７】
115a、115b、...等の表示は、少なくとも2つの斯かる要素が利用可能であってもよいことを示す。さらに、115a、115b、...等の表示は、複数の要素115を示し、個々の要素が、115a、115b、...で示されている。
【００５８】
使用中、1つ以上のエアフロー111が生成されてもよい。しかしながら、システムは、少なくとも2つの非平行な方向112a、112b、...にエアフロー111a、111b、...を供するよう構成される。システムは、少なくとも2つの非平行な方向112a、112b、...にエアフロー111a、111b、...を供するよう構成されるが、これは、使用中に常に全てのエアフローが供されることを意味しない。例えば、エアフローを切り替えてもよく、エアフローが望まれない方向へのエアフローの数を減少してもよく、その他も可能である。この目的のために、システムはさらに、制御システムを含んでもよい（以下も参照）。
【００５９】
ファンアセンブリ100は、複数のノズル110を含んでもよく、個々のノズルは、参照番号110a、110b等で示されている。エアフロー生成デバイス（以下も参照）及びノズルは、（任意に）ノズル開口115しか見えないように、ハウジング7により実質的に囲まれてもよいことに留意されたい。ここで、ノズル開口115は、円形又は楕円形であってもよい、仮想の閉じた弧状(virtual closed arc)に構成される。一例として、6つのノズル開口115が示されている。この概略的に示された実施形態では、複数のノズル開口115a、115b、...は、環状構成で構成されている。システムはまた、（例えば、システムの頂部に）インレット116を備えてもよい。
【００６０】
ノズル開口115は、実質的に任意の形状を有することができる。ここでは、例として、楕円形状を持つ6つのノズル開口115が示されている。特定の実施形態では、ノズル開口は、0.2mm〜10mm、特に0.5mm〜5mm、例えば1mm〜5mmの範囲内の長さL、幅W及び径の1つ以上の（最小）寸法を持つ。幅W及び長さLは、図に示されている。ノズル開口は、断面積を画定する。全てのノズル開口115の総断面積は、所望のフローを提供するために少なくとも20cm2、例えば少なくとも50cm2であってもよい。
【００６１】
ある実施形態では、システム1はさらに、光源光11を生成するよう構成される、LEDのような固体光源等の光源10を備えてもよい。光源光は、光軸Oを持つ。ここでは、システム1は、ダウンライトとして構成されているが、代替的に又は付加的に、システム1は、アップライトとして構成されてもよい。
【００６２】
少なくとも2つの非平行な方向112a、112b、...は、10°〜170°、例えば20°〜120°、例えば30°〜150°の範囲から選択される頂角αを持つ仮想円錐30内に構成される。円錐軸の長さの2倍の径を有する円錐は、90°の円錐角を持つ。仮想円錐はさらに、円錐軸31を持つ。頂角αは、円錐角としても定義され得る。図1aの仮想円錐30の頂角は、約75°である。
【００６３】
この概略的に示された実施形態においては、光軸O及び円錐軸31が平行であることに留意されたい。さらに、この実施形態では、光軸O及び円錐軸31は（実質的に）一致している。
【００６４】
ここに概略的に示されているシステム1は、つり下げ（ペンダント）用に構成されている。システム1は、上側部分3及び下側部分4を有してもよい。光源10は、上側部分3及び下側部分4の1つ以上から離れる方向（ここでは下側部分4から離れる方向）に伝搬する光源光11を供するよう構成される。しかしながら、特に、ファンアセンブリ130は、下側部分4から離れる方向に伝搬するエアフロー111a、111b、...を供するよう構成される。
【００６５】
システム1はさらに、エアフロー111a、111b、...を制御するよう構成される制御システム200を含んでもよい。制御システムは、（図1bに概略的に示されるように）ハウジング7内に組込まれてもよく、又は（図1aに概略的に示されるように）その外部にあってもよい。さらに、制御システム200は、ユーザインターフェース220を含んでもよい。ユーザインターフェース220は、システムに組み込まれてもよく、リモートコントロールに含まれる等遠隔にあってもよい（図1bも参照）。制御システム200はさらに、光源10を制御するよう構成されてもよい。システムは、自動的に空気清浄を行うための空気の質を検知するセンサを備えてもよい。
【００６６】
システム1は、特にデバイスが円柱状又は円錐状又はビーム状の形状を有する場合、主軸MAを有してもよい。主軸MAは、特に、少なくとも1つの仮想円錐30と一致してもよい。
【００６７】
図1aに概略的に示されているように、システム、とりわけ、ファンアセンブリ100及び光源10を備える図示されたデバイスは、円錐のような形状をしていて、回転軸を中心とし、中央開口部又は光出口窓（以下参照）が、該軸を中心としている。しかしながら、システム1又はハウジング7のこの形状は、多くの可能な形状のうちの非限定的な例にすぎない。例えば、図1bを参照すると、これは、円錐形状のシステム1の断面であってもよいが、これはまた、三角形状のピラミッド、正方形（菱形）ピラミッド、長方形ピラミッド又は五角形ピラミッド等の規則的なピラミッド（状の）形状の断面等であってもよい。
【００６８】
エアフロー111の少なくとも2つの非平行な方向112は、ここでは少なくとも10°の図示の下側の値を持つ頂角α1を有する第1の仮想円錐30'と、ここでは少なくとも170°の図示の上側の値を持つ頂角α2を有する第2の仮想円錐30''とにより画定されるのが分かる。エアフロー111は、これら2つの円錐30'、30''内に方向112を有する。仮想円錐30'及び30''は円錐軸31を共有する。これは図1bに概略的に示されている。2つの仮想円錐の頂点は、同じ方向（ここでは上向き）を指し示している。図1bの頂角は、約15°（α1）及び約150°（α2）である。
【００６９】
第1仮想円錐30'が（少なくとも）10°の頂角を有するので、エアフロー111の角度は、仮想円錐軸30と少なくとも5°、例えば少なくとも10°である。したがって、特に、図1bに概略的に示されているように、システム1は、5°〜85°、さらに特には10°〜80°の範囲から選択される円錐軸31との（相互）角度σ1、σ2、...を持つエアフロー111a、111bを供するよう構成される。より特には、方向112a、112b、...及び円錐軸31は、20°〜70°の範囲内のような少なくとも20°等の10°〜80°の範囲から選択される相互角度σ1、σ2、...を持つ。
【００７０】
ここで、システム1は再び主軸MAを有する。光軸Oは、主軸MAに平行に構成されている。ファンアセンブリ100は、5°〜85°、さらに特には10°〜80°の範囲から選択される、より特には20°〜70°の範囲から選択される主軸MAとの（相互）角度γ1、γ2、...を持つ少なくとも2つの非平行な方向112a、112b、...にエアフロー111a、111b、...を供するよう構成される。この実施形態においては、主軸MAは、仮想円錐軸31と実質的に一致するので、γ及びσの値は、（実質的に）等しくてもよい。
【００７１】
さらに、システム1は、0°〜80°及び100°〜180°の範囲から選択される光軸O及び円錐軸31との相互角度βを持つ光源光11を供するよう構成される。図1bにおいて、角度βは0°であり、システムは、ダウンライト及びダウンファンである。
【００７２】
図1bにおいて、リモートコントロール225が示されている。リモートコントロール225は、制御システム200に命令を与えるためのユーザインタフェース220を含んでもよい。ここでは、一例として、制御システム200は、ハウジング7に組込まれている。
【００７３】
図2は、円錐軸31に対する光軸の向きを概略的に示している。光軸Oを持つ光源光11と円錐軸31とは、0°〜80°（ダウンライト）及び100°〜180°（アップライト）の範囲から選択される相互角度βを持つ。例示としてのみ、円錐軸31とのゼロではない角度βを持つ（2つの）ビームが示されている。
【００７４】
図3aは、システム1の一実施形態を概略的に示し、当該システム1は、少なくとも3つのノズル開口115a、115b、...を含み、ファンアセンブリ100は、少なくとも3つの相互に非平行な方向112a、112b、...に少なくとも3つのエアフロー111a、111b、...を供するよう構成され、制御システム100は、少なくとも3つのノズル開口115a、115b、...から出る少なくとも3つのエアフロー111a、111b、...の各々の流速及び流量の1つ以上を制御するよう構成される。フロー方向112a、112b、...の各々は、少なくとも20°等少なくとも10°ではあるが、特に80°よりは大きくない円錐軸31との相互角度σを有することに留意されたい。デバイス又はハウジング7は、正方形又は長方形の断面を有することに留意されたい。
【００７５】
例えば、図1a、図1b及び図3aから導出され得るように、システム1は、光源光11の光軸Oと1つ以上の方向112a、...が10°〜80°及び100°〜170°の範囲から選択される相互角度を持つように、エアフロー111a、111b、...及び光源光11を供するよう構成されてもよい。さらに、2つ以上のフロー方向が、10°〜80°及び100°〜170°の範囲から選択される相互角度を持ってもよい。特には、少なくとも2つ以上のフロー方向は、10°〜80°の範囲から選択される相互角度を持つ。多くのフロー方向が（同じ仮想円錐内で）利用可能である場合、2つのフロー方向の複数のサブセットがこの条件に準じてもよく、隣接するフローが、より小さな相互角度を持つフロー方向を有してもよい。
【００７６】
図3bは、システム1の一実施形態を概略的に示し、該システム1においては、光源10が、環状光出口窓13を備える。例えば、複数の固体光源が、光出口窓13の上流に構成されてもよい（固体光源は図では見えない）。ここで、システム1はまた、複数の環状ノズル開口115を有する。ここでは、例として、3つの環状ノズル開口115が、互いに重なって描かれている。これらノズル開口の1つ以上が、複数の異なるノズル開口115a、115b、...を含んでもよいことに留意されたい。これは、上方の環状ノズル開口に概略的に示されていて、該ノズル開口は実際には、ハウジングの左側のノズル開口115a、右側のノズル開口115b及び後ろ側のノズル開口115cを含む。破線は、対応するノズル開口115a、115b等が構成されている区画を示している。例示としてのみ、3つの区画が概略的に示されている。2つ、又は3つ以上の区画が用いられてもよい。2つの他のリングが、任意選択的には上方の環状ノズル開口のノズル開口115a、115b、115cと独立して制御されてもよいが、任意選択的には同じ3つの区画に分割されてもよい、さらなるノズル開口を備えてもよい。ここでは、ノズル開口115が環状配置に構成され、光出射窓が環状配置に構成されていることに留意されたい。
【００７７】
図3cは、図3bに概略的に示される実施形態と同様のタイプの実施形態を概略的に示す。しかしながら、ここでは、光出口窓13は、中空ではなく、実質的に閉じている。したがって、図3bでは、光出口窓13は閉じた円弧であるが、ここでは、光出口窓13は、閉じた円形、正方形、三角形、長方形等であり、どのようにでも形状は選択される。参照符号116は、空気をファンアセンブリに吸入するための開口（エアインレット）を示す。上述したように、「ファンアセンブリ」という用語は、（独立して制御されてもよい）複数のファンアセンブリを称してもよい。
【００７８】
図4aは、例えば図3bに概略的に示されているシステム1の一部であってもよい、システム1の一部を概略的に示す。参照符号125は、エアフロー生成デバイス120の一例としてのインペラを概略的に示している。
【００７９】
図4b〜図4cは、エアフロー111がシステム1の内側で生成される実施形態を概略的に示す。図3b〜3dでは、エアフローは、システム1の端部で生成された。ファンアセンブリ100は、インペラ125等のエアフロー生成デバイス120を備える。ファンアセンブリ130は、エアインレット116と1つ以上のノズル開口115a、115b、...との間の流体連通のためのダクト140を備えてもよい。ここで、ダクト140は、エアフィルタ150を備える。したがって、このようにして、「照明器具」により、空気が清浄化されてもよい。図4cは、エアフィルタ150がエアフィルタ断面A1を持ち、ダクト140がエアフィルタ150が構成される位置141においてダクト断面A2を持ち、フィルタ断面A1及びダクト断面A2が0.3〜0.95の範囲から選択される比A1/A2を持つ実施形態を概略的に示す。これは、図4dにより詳細に概略的に示されている。図4dにおいて、正方形は、位置141におけるダクト140の断面A2を示し、この断面A2の一部は、ダクト140の断面A2より小さい断面A1を持つフィルタ150によりブロックされている。A1/A2の比は、0.95より大きくてもよく、ましては1であってもよい。後者の変形例では、フィルタはダクトの断面全体に構成され、バイパスはない。A1/A2が0より大きく1より小さい場合、フローを増加させるために用いられ得る、参照番号143で示される、バイパス又は残りの部分が存在するが、それにもかかわらず、空気はフィルタにかけられ得、空間の空気が清浄化（粒子の除去）され得る。フィルタは、任意選択的には、バルブとして構成されてもよく、それにより制御可能な比A1/A2を可能にする。したがって、フィルタ断面は、特には、（ダクト軸に沿って見た場合に）フィルタにより占有されるダクトの断面である。代替的に又は付加的に、ある実施形態では、比A1/A2は、1より小さくすることができ、ダクトの（参照符号143で示される）残りの部分の少なくとも一部が、制御可能なバルブ146で閉じられることができる。このバルブは任意選択的である。このようにして、エアフィルタリング及びエアフローが、一層良好に制御されてもよい。したがって、ある実施形態では、ダクト140は、任選択的に、1より小さな比を持つが、バイパスがバルブで阻止され得る段階が利用可能である、バルブ及びエアフィルタ150の1つ以上により遮られ得る。したがって、任意選択的に、バイパスは制御可能である。図4bにおいて、エアフィルタ150及びダクト140の断面は、フィルタの位置において、明らかに実質的に同一である（バイパスなし）。図4dにおいて、参照符号DAはダクト軸を示し、ここでは、ダクトの断面A2に対して垂直である。
【００８０】
図3b〜図3d及び図4a〜図4cを参照すると、(a)複数のノズル開口115a、115b、...は、環状光出口窓13及び／又は光源10を周囲に囲むか、又は（b）複数のノズル開口115a、115b、...は、環状光出口窓13及び／又は光源10により周囲に囲まれる。
【００８１】
図3b、図4b、図4cを参照すると、これらの図に概略的に示された実施形態及び同様の実施形態は、例えば特定の雰囲気(ambiance)を作り出すために照らされ得る中空内側部分を持つ。
【００８２】
システム1は、空間を照らすため、（冷房のためなど）空間内に1つ以上のエアフローを供するため、又は空間内の空気をフィルタリングするために使用され得る。特に、システムは、空間1000内にエアフロー及び光の1つ以上を供するために使用されてもよく、方法は、空間1000内に（a）1つ以上のエアフロー111a、111b、...及び（b）光源光11の1つ以上を供するステップを含んでもよい。これは、図4eに概略的に示されている。ここでは、一例として、システム1は、つり下げ式に構成されている。さらに、図4eに概略的に示されるように、一例として、システム1は、互いに発散するエアフローの2つのサブセットを含む。これにより、ここで概略的に示されているように、（第1の仮想円錐を画定する（図示せず））それぞれ互いに発散する方向112a及び112bを持つエアフロー111a及び111b、並びに（第2の仮想円錐を画定する（図示せず））それぞれ互いに発散する方向112a'及び112b'を持つエアフロー111a'及び111b'が供される。さらに、一例として、仮想円錐の外側のさらなるエアフローが、仮想円錐の円錐軸（図示せず）と逆平行の方向に供される。ここでは、上方に向けられたさらなるエアフローも供されている。これらさらなるエアフローは、参照符号211で示され、第1のさらなるエアフロー211aは方向212aを有し、第2のさらなるエアフロー211bは、方向212bを有する。システム、ここでは特にハウジング7が、センサ250を含む。さらに、、2つの仮想半球が画定され、ファンアセンブリ100及び光源10を備えるデバイス又は装置（又はハウジング）が中央にある。互いに発散するエアフロー111及び光源光11は、同じ半球（ここでは下側）に供される。
【００８３】
図1a〜図1b、図3a〜図3c、図4a〜図4c及び図4eに示されるシステムは全て、統合ユニットを概略的に示しているが、図1a〜図1bでは、制御システム200及び／又はリモートコントロールは、ファンアセンブリ及び光源を備える統合ユニット（デバイス又は装置）の一部ではないものとして概略的に示されている。しかしながら、例えば図4eにおいて、センサ250は、ファンアセンブリ及び光源を備えるデバイス又は装置の外部に構成されてもよいことに留意されたい。
【００８４】
「実質的に全ての光」又は「実質的に構成される」というような、本明細書における「実質的に」という用語は、当業者には理解されるであろう。「実質的に」という用語は、「全体的に」、「完全に」、「全て」等の実施形態も含んでもよい。したがって、ある実施形態では、「実質的に」の形容詞が削除されてもよい。当てはまれば、「実質的に」という用語は、90％以上、例えば95％以上、特に99％以上、さらには99.5％以上に関連してもよく、100%を含んでもよい。「含む（comprise）」という用語は、用語「含む（comprises）」が「からなる（consisting of）」を意味する実施形態も含む。「及び／又は」という用語は、特に、「及び／又は」の前後に言及された項目のうちの1つ以上に関連する。例えば、「アイテム1及び／又はアイテム2」という句及び類似の句は、アイテム1及びアイテム2の1つ以上に関連してもよい。一実施形態では、用語「含む」は、「からなる」を指すが、別の実施形態では、「少なくとも定義された種及び任意に1つ以上の他の種を含む」を指す場合もある。
【００８５】
さらに、明細書及び特許請求の範囲の第1、第2、第3等の用語は、類似の要素を区別するために使用され、必ずしも逐次的又は時間的な順序を説明するためではない。そのように使用される用語は、適切な状況下で交換可能であり、本明細書に記載された本発明の実施形態は、本明細書に記載又は図示されている以外の順序で動作可能であることを理解されたい。
【００８６】
本明細書のシステム、装置及びデバイスは、とりわけ、動作中が述べられている。当業者には明らかなように、本発明は、動作中のデバイス又は動作方法に限定されない。
【００８７】
上記の実施形態は本発明を限定するものではなく、当業者は添付の特許請求の範囲から逸脱することなく多くの代替実施形態を設計できることに留意されたい。特許請求の範囲において、括弧内に置かれた参照符号は、特許請求の範囲を限定するものとして解釈されるべきではない。「有する(to comprise)」という動詞及びその活用形の使用は、請求項に記載された要素又はステップ以外の要素又はステップの存在を排除するものではない。要素に先行する冠詞「a」又は「an」は、複数の斯かる要素の存在を排除するものではない。本発明は、いくつかの別個の要素を含むハードウェアにより、及び適切にプログラムされたコンピュータにより実施されることができる。いくつかの手段を列挙するデバイスの請求項において、これらの手段のいくつかは、同一のハードウェアのアイテムにより具体化されることができる。特定の手段が相互に異なる従属請求項に列挙されているという単なる事実は、これらの手段の組み合わせが有利に使用できないことを示すものではない。
【００８８】
本発明はさらに、本明細書に述べられている及び／又は添付の図面に示されている特徴の1つ以上を含むデバイスに当てはまる。本発明はさらに、本明細書に述べられている及び／又は添付の図面に示されている特徴の1つ以上を含む方法又はプロセスに関する。
【００８９】
本特許で論じられている様々な態様は、さらなる利点を提供するために組み合わされ得る。さらに、当業者は、実施形態は組合され得、3つ以上の実施形態が組み合わされ得ることも理解するであろう。さらに、特徴のいくつかは、1つ以上の分割出願の基礎を成すことが可能である。
【図１Ａ】
2019511105.tif 000003
【図１Ｂ】
2019511105.tif 000004
【図２】
2019511105.tif 000005
【図３Ａ】
2019511105.tif 000006
【図３Ｂ】
2019511105.tif 000007
【図３Ｃ】
2019511105.tif 000008
【図４Ａ】
2019511105.tif 000009
【図４Ｂ】
2019511105.tif 000010
【図４Ｃ】
2019511105.tif 000011
【図４Ｄ】
2019511105.tif 000012
【図４Ｅ】
2019511105.tif 000013
【国際調査報告】
2019511105.tif 000014
2019511105.tif 000015
2019511105.tif 000016